(57)【要約】【課題】補強板を内蔵しない開き戸に無理な力を作用させることなく、所定の位置に停止させる。戸当たりに衝突するときに開き戸に働く上下方向の力を小さくして、開き戸と蝶番に無理な力が作用するのを防止する。開き戸との衝突部分の損傷を少なくして、耐久性を向上させる。【解決手段】戸当たりは、床２２又は天井２３からなる建物の水平面２１に固定されて、開き戸２０の上端縁部又は下端縁部に当てて所定の位置に停止させる。戸当たりは、建物の水平面２１に垂直に固定される支柱１と、この支柱１を挿入でき、かつ支柱１と内面との間にスペース４を有し、なおかつ外周面を円柱状、多角柱状、楕円柱状のいずれかとする筒状のゴム状弾性体からなる緩衝筒２と、この緩衝筒２と支柱１との間のスペース４に配設され、一端を支柱１に他端を緩衝筒２に連結して、緩衝筒２を支柱１に対して傾動できるように連結しているバネ３とを備える。【選択図】図３
2008127855.tif 000002
【特許請求の範囲】
【請求項１】
床(22)又は天井(23)からなる建物の水平面(21)に固定されて、開き戸(20)の上端縁部又は下端縁部に当てて所定の位置に停止させる戸当たりにおいて、
建物の水平面(21)に垂直に固定される支柱(1)と、この支柱(1)を挿入でき、かつ支柱(1)と内面との間にスペース(4)を有し、なおかつ外周面を円柱状、多角柱状、楕円柱状のいずれかとする筒状のゴム状弾性体からなる緩衝筒(2)と、この緩衝筒(2)と支柱(1)との間のスペース(4)に配設され、一端を支柱(1)に他端を緩衝筒(2)に連結して、緩衝筒(2)を支柱(1)に対して傾動できるように連結しているバネ(3)とを備える戸当たり。
【請求項２】
バネ(3)がコイルバネ(3A)で、このコイルバネ(3A)は一端を支柱(1)に連結して、他端を緩衝筒(2)の内面に連結している請求項１に記載される戸当たり。
【請求項３】
コイルバネ(3A)が支柱(1)に連結される一端から緩衝筒(2)に連結される他端に向かって次第に巻き径を大きくする渦巻きバネ(3X)である請求項２に記載される戸当たり。
【請求項４】
バネ(3)がベアリング(9)を介して回転できるように支柱(1)に連結され、このベアリング(9)とバネ(3)を介して緩衝筒(2)を傾動できると共に回転できるように支柱(1)に連結している請求項１に記載される戸当たり。
【請求項５】
緩衝筒(2)が、ゴム状弾性体を先端が閉塞される筒状に成形したものである請求項１に記載される戸当たり。
【発明の詳細な説明】
【技術分野】
【０００１】
本発明は、床や天井などの水平面に固定され、開かれた開き戸に当たって、開き戸の開き位置を特定位置に制限する戸当たりに関する。
【背景技術】
【０００２】
従来の開き戸は、戸当たりの衝突部分に補強板を固定して、戸当たりの衝突部分が変形するのを防止している。補強板は、小さい金属板で、表面板の内面に固定される。内部に固定される補強板は、表面には表出しない。このため、開き戸を外部から見て、補強板の位置を確認できない。補強板は、戸当たりと開き戸を建物の決められた位置に固定して、戸当たりに当たる位置に配置される。ただ、現実に施工現場においては、戸当たりは常に建物の正確な位置に固定されるとは限らない。それは、建物の床や天井の高さが、施工現場によって変化するからである。戸当たりの位置がずれて、戸当たりが補強板に衝突しない状態になると、戸当たりが開き戸を変形させる。とくに、補強板の位置を外部から確認できないことから、常に戸当たりの固定位置を、補強板に当たる位置にできるとは限らない。補強板を大きくして、この弊害を少なくできる。ただ、補強板を大きくすることは、製造コストが高くなるばかりでなく、内部構造によっては、補強板の固定に手間がかかる。
【０００３】
この欠点を解消するために、開き戸の上下のコーナー部に当てる戸当たりが開発されている。（特許文献１参照）
【特許文献１】特開平１１−３２４４７７号公報
【発明の開示】
【発明が解決しようとする課題】
【０００４】
特許文献１の戸当たりを図１に示す。この戸当たりは、床８２等の水平面８１に固定される基体９１に、円錐状の緩衝体９２を設けている。この戸当たりは、従来のように、開き戸８０の表面に衝突しない。円錐状の緩衝体９２は、開き戸８０の上枠や下枠８３Ａのコーナー部に当たって、開き位置を特定する。この戸当たりは、開き戸８０の上下に内蔵する枠体８３に当たって、開き戸を所定の位置に停止するので、開き戸８０の内部に補強板を設ける必要がない。また、戸当たりの固定位置が上下にずれても、開き戸を所定の開き位置に特定できる。
【０００５】
しかしながら、この戸当たりは、開き戸との衝突位置が損傷されやすい。それは、緩衝体の傾斜面に、開き戸のコーナーを局部的に衝突させるからである。このため、この戸当たりは、開き戸のコーナーが当たる部分が、とくに変形・損傷しやすい欠点がある。また、傾斜面に衝突する開き戸は、緩衝体の傾斜方向に上下の力を受ける。すなわち、床に固定する戸当たりは、衝突時に開き戸を持ち上げる力が作用し、天井に固定される戸当たりは、衝突時に開き戸を押し下げる力が作用する。すなわち、開き戸が戸当たりに衝突するごとに、上下に無理な力が作用する。上下に働く無理な力は、開き戸を変形させる方向に作用し、また蝶番に遊びを発生させる原因となる。さらに、この戸当たりは、開き戸のコーナーが緩衝体の傾斜面に衝突するので、戸当たりに衝突する開き戸のコーナー部には、局部的に強い衝撃が働く。このため、戸当たりに衝突する開き戸のコーナー部が変形しやすい欠点もある。
【０００６】
本発明は、このような欠点を解決することを目的に開発されたものである。本発明の重要な目的は、補強板を内蔵しない開き戸に無理な力を作用させることなく、所定の位置に停止できる戸当たりを提供することにある。
また、本発明の他の大切な目的は、戸当たりに衝突するときに開き戸に働く上下方向の力を小さくして、開き戸と蝶番に無理な力が作用するのを防止できる戸当たりを提供することにある。
さらにまた、本発明の他の大切な目的は、開き戸との衝突部分の損傷を少なくして、耐久性を向上できる戸当たりを提供することにある。
【課題を解決するための手段】
【０００７】
本発明の戸当たりは、前述の目的を達成するために以下の構成を備える。
戸当たりは、床２２又は天井２３からなる建物の水平面２１に固定されて、開き戸２０の上端縁部又は下端縁部に当てて所定の位置に停止させる。戸当たりは、建物の水平面２１に垂直に固定される支柱１と、この支柱１を挿入でき、かつ支柱１と内面との間にスペース４を有し、なおかつ外周面を円柱状、多角柱状、楕円柱状のいずれかとする筒状のゴム状弾性体からなる緩衝筒２と、この緩衝筒２と支柱１との間のスペース４に配設され、一端を支柱１に他端を緩衝筒２に連結して、緩衝筒２を支柱１に対して傾動できるように連結しているバネ３とを備える。
【０００８】
本発明の請求項２の戸当たりは、請求項１の構成に加えて、バネ３をコイルバネ３Ａとしている。このコイルバネ３Ａは、一端を支柱１に連結して、他端を緩衝筒２の内面に連結している。
【０００９】
本発明の請求項３の戸当たりは、請求項２の構成に加えて、コイルバネ３Ａを、支柱１に連結される一端から緩衝筒２に連結される他端に向かって次第に巻き径を大きくする渦巻きバネ３Ａとしている。
【００１０】
本発明の請求項４の戸当たりは、請求項１の構成に加えて、バネ３を、ベアリング９を介して回転できるように支柱１に連結し、このベアリング９とバネ３を介して緩衝筒２を傾動できると共に回転できるように支柱１に連結している。
【００１１】
本発明の請求項５の戸当たりは、請求項１の構成に加えて、緩衝筒２を、先端が閉塞される筒状にゴム状弾性体を成形したものとしている。
【発明の効果】
【００１２】
本発明の戸当たりは、補強板を内蔵しない開き戸を、衝突による無理な力を作用させることなく、所定の位置に停止できる特徴がある。それは、本発明の戸当たりが、建物の水平面に垂直に固定される支柱と、この支柱を挿入するゴム状弾性体の緩衝筒と、この緩衝筒と支柱とを連結するバネとを備え、緩衝筒は、支柱を挿入でき、かつ支柱と内面との間にスペースを有し、さらに外周面を円柱状、多角柱状、楕円柱状のいずれかとする筒状とし、この緩衝筒を支柱に連結するバネは、支柱と緩衝筒との間のスペースに配設され、一端を支柱に他端を緩衝筒に連結して、緩衝筒を支柱に対して傾動できるように連結しているからである。この構造の戸当たりは、天井や床などの水平面に固定され、開き戸の上端縁部又は下端縁部に衝突させて、開き位置を特定する。この戸当たりは、開き戸の上端縁部や下端縁部が衝突するとき、最初に緩衝筒の外側面に当たる。このとき、緩衝筒は外側面を、円柱状、多角柱状、楕円柱状のいずれかとする筒状としているので、従来のようにコーナーの角が衝突するのではなく、面状にあるいは所定の長さの線状に衝突する。緩衝筒の外側面が開き戸の表面と平行となっているからである。開き戸の表面に面状あるいは線状に衝突する緩衝筒は、コーナーの角が衝突するのに比較して損傷を著しく少なくできる。それは、衝突部分を大きくして衝撃のエネルギーを緩和できるからである。さらに、本発明の戸当たりは、開き戸の表面に衝突する緩衝筒をバネを介して支柱に連結している。したがって、開き戸に衝突する緩衝筒は、ゴム状弾性体の弾性で衝撃のエネルギーを吸収し、さらにバネが弾性変形して衝撃のエネルギーを吸収する。このことから、本発明の戸当たりは、開き戸に衝突して受ける損傷を極限できる特徴がある。この独特の構造は、戸当たりの損傷を防止できることに加えて、開き戸の衝突部分の損傷も少なくして、開き戸の耐久性を向上できる特徴も実現する。さらに、本発明の戸当たりは、衝突する瞬間に開き戸に上下方向の力が作用せず、衝突で開き戸と蝶番に無理な力が作用するのを防止できる特徴もある。
【００１３】
とくに、本発明の請求項２の戸当たりは、請求項１の構成に加えて、バネをコイルバネとして、このコイルバネの一端を支柱に、他端を緩衝筒の内面に連結している。この構成によると、戸当たりは、緩衝筒をバランスよく支柱に連結できる。このため、戸当たりを天井や床に固定する方向などの制限がなく、取り付けを簡単にできる。
【００１４】
さらに、本発明の請求項３の戸当たりは、請求項２の構成に加えて、バネであるコイルバネを、支柱に連結される一端から緩衝筒に連結される他端に向かって次第に巻き径を大きくする渦巻きバネとしている。この構成によると、バネを筒状の緩衝筒に挿入して簡単に連結できる。また、開き戸で押されて緩衝筒が傾動するときに、コイルバネの開き戸側を傾斜姿勢から垂直姿勢となる方向に移動させる。このため、緩衝筒をスムーズに傾動できる特徴がある。
【００１５】
さらにまた、本発明の請求項４の戸当たりは、請求項１の構成に加えて、バネをベアリングを介して回転できるように支柱に連結し、このベアリングとバネを介して、緩衝筒を傾動でき、かつ回転できるように支柱に連結している。この戸当たりは、開き戸が衝突して緩衝筒を回転し、さらに、緩衝筒が回転して、開き戸との衝突部分を移動できる。このため、緩衝筒が開き戸と衝突する部分を変化させて、緩衝筒の損傷をさらに少なくできる特徴がある。
【００１６】
また、本発明の請求項５の戸当たりは、請求項１の構成に加えて、緩衝筒の形状を、先端が閉塞される筒状にゴム状弾性体を成形して製作している。この戸当たりは、緩衝筒の先端をゴム状弾性体で保護できる特徴がある。
【発明を実施するための最良の形態】
【００１７】
以下、本発明の実施例を図面に基づいて説明する。ただし、以下に示す実施例は、本発明の技術思想を具体化するための戸当たりを例示するものであって、本発明は戸当たりを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図２ないし図１１に示す戸当たりは、床２２又は天井２３からなる建物の水平面２１に固定される。図２、図３、図６ないし図１１に示す戸当たりは、床２２に固定する状態を示している。これらの戸当たりは、開き戸２０の下端縁部に当たって、開き戸２０を所定の位置に停止させる。図３と図４に示す戸当たりは、天井２３に固定する状態を示している。この戸当たりは、開き戸２０の上端縁部に当たって、開き戸２０を所定の位置に停止させる。図３、及び図６ないし図１１は、床２２に設置する戸当たりの断面図を示している。天井２３に設置される戸当たりは、図５に示すように、これらの図と上下を反転した構造とすることができる。
【００２０】
図２ないし図１１に示す戸当たりは、建物の水平面２１に垂直に固定される支柱１と、この支柱１の先端部を挿入している筒状の緩衝筒２と、この緩衝筒２を支柱１に連結しているバネ３とからなる。
【００２１】
図２ないし図９の戸当たりは、支柱１を固定プレート５に垂直に固定している。この固定プレート５を床２２や天井２３などの水平面２１に固定して、支柱１は水平面２１に垂直に固定される。図２の固定プレート５は、水平面２１に固定するための止ネジ６を挿通する貫通孔５Ａを四隅に設けている。ただ、固定プレート５は、図４に示すように、止ネジ６を挿通する貫通孔５Ａを、支柱１の両側に設けることもできる。この固定プレート５は、たとえば、両側の止ネジ６が、開き戸２０の開閉方向に並ぶように水平面２１に固定して支柱１を安定して支持できる。固定プレート５は、貫通孔５Ａに止ネジ６を通し、これを水平面２１にねじ込んで、水平面２１に固定される。ただし、支柱１は、図１０と図１１に示すように、アンカーボルト７を介して水平面１１に固定することもできる。
【００２２】
緩衝筒２は、ゴム状弾性体で、全体の形状を筒状に成形している。緩衝筒２のゴム状弾性体は、天然ゴムや合成ゴムである。また、軟質で弾性変形する合成樹脂、たとえば軟質ウレタンなども使用できる。図の緩衝筒２は、先端を閉塞する筒状に成形している。図２ないし図１１の緩衝筒２は、筒部２Ａの先端を蓋部２Ｂで閉塞してなる形状に、一体的に成形している。この緩衝筒２は、先端をゴム状弾性体で保護できる特徴がある。ゴム状弾性体で成形される蓋部２Ｂの先端面は、図２ないし図５、図７、図８、図１０及び図１１に示すように、水平面１１と平行な平面状とすることも、図６に示すように、外周部から中央部に向かって次第に突出する断面形状とすることも、あるいは、図９に示すように、先端面を平面状として、外周面との境界部分を面取りした形状とすることもできる。ただ、緩衝筒は、必ずしも筒部を蓋部で閉塞する形状に一体的に成形する必要はなく、先端を開口してなる筒状とすることもできる。この緩衝筒は、先端の開口部に、別部材である蓋材を固定して閉塞することもできる。
【００２３】
緩衝筒は２、外周面を円柱状、多角柱状、楕円柱状のいずれかとすることができる。図２と図４の斜視図に示す緩衝筒２は、外側面を円柱状としている。この緩衝筒２は、開き戸２０の表面に当たる面積を大きくできる。さらに、図１２に示す緩衝筒２は、外周面を六角柱状としている。この緩衝筒２は、詳細には後述するが、図７に示すように、ベアリング９を介して支柱１に連結する構造として、あるいは、図１１に示す構造として、緩衝筒２を支柱１に対して回転させて、開き戸２０の表面に当たる面積を大きくできる。ただ、、緩衝筒は、六角柱状以外の多角柱状とすることもできる。さらに、図１３に示す緩衝筒２は、外周面を楕円筒状としている。この緩衝筒２は、楕円の長径を開き戸２０の表面と平行な姿勢で水平面２１に固定して、開き戸２０が当たる面積を大きくできる。
【００２４】
緩衝筒２は、バネ３を介して支柱１に連結される。したがって、筒状の緩衝筒２は、支柱１との間に、バネ３を配設するためのスペース４ができる内形に成形している。図２ないし図５に示す緩衝筒２は、外側面と内側面の両方を円筒状としている。ただ、緩衝筒は、図示しないが、内側面の形状を多角筒状とすることも楕円筒状とすることもできる。すなわち、緩衝筒２は、外側面と内側面を同じ筒状とすることができ、また、異なる筒状とすることもできる。図１２に示す緩衝筒２は、外側面を六角筒状として、内側面を円筒状としている。また、図１３に示す緩衝筒２は、外側面を楕円筒状として、内側面を円筒状としている。さらに、内側面を筒状とする緩衝筒２は、図７に示すように、筒部２Ａの先端に向かって内径が小さくなる筒状とすることもできる。
【００２５】
バネ３は、支柱１と緩衝筒２との間のスペース４に配設されるコイルバネ３Ａである。コイルバネ３Ａは、一端を支柱１に連結して、他端を緩衝筒２に連結している。床２２に固定する戸当たりは、図３及び図６ないし図１１に示すように、コイルバネ３Ａの下端を支柱１に連結して、上端を緩衝筒２に連結する。天井２３に固定する戸当たりは、図５に示すように、コイルバネ３Ａの上端を支柱１に連結して、下端を緩衝筒２に連結する。
【００２６】
図３と図５の戸当たりは、コイルバネ３Ａを、支柱１に連結している一端から、緩衝筒２に連結される他端に向かって次第に巻き径を大きくする渦巻きバネ３Ｘとしている。渦巻きバネ３Ｘは、緩衝筒２に連結される他端（図３において上端、図５において下端）の巻き径、正確には緩衝筒２に連結される他端の外径を緩衝筒２の内径よりも大きくしている。この渦巻きバネ３Ｘは、筒状の緩衝筒２の内部に挿入して、簡単に連結できる。それは、渦巻きバネ３Ｘが弾性的に拡開することで、緩衝筒２の内面に連結されるからである。ただし、緩衝筒は、内部の最も奥部に、接着剤を介してコイルバネを連結することもできる。また、コイルバネの先端を合成樹脂の緩衝筒に挿入して、バネを緩衝筒に連結することもできる。
【００２７】
さらに、図の渦巻きバネ３Ｘは、一端部（図３において下端部、図５において上端部）を、支柱１の先端に巻き付けて支柱１に連結される。渦巻きバネ３Ｘは、支柱１に連結される一端の巻き径、正確には支柱１に連結される一端の内径を支柱１の外径よりも小さくして、渦巻きバネ３Ｘの一端部に支柱１を挿入して簡単に連結できる。この渦巻きバネ３Ｘは、弾性的な収縮力で支柱１の表面に巻き付いて、支柱１に連結される。ただし、コイルバネの一端部は、接着剤を介して支柱に連結することも、連結具を介して支柱に連結することもできる。コイルバネ３Ａは、支柱１に連結される端部が、支柱１から抜けないように連結される。
【００２８】
図３と図５に示す構造の戸当たりは、コイルバネ３Ａを渦巻きバネ３Ｘとするので、支柱１と緩衝筒２との間のスペース４を広くしながらコイルバネ３Ａの両端を支柱１と緩衝筒２とに連結できる。とくに、渦巻きバネ３Ｘにおける支柱１との連結側（図３において渦巻きバネ３Ｘの下部、図５において渦巻きバネ３Ｘの上部）を緩衝筒２の内側面に接触させない状態で配置できる。したがって、緩衝筒２を支柱１に対して大きく傾動できる特長がある。
【００２９】
ただ、コイルバネは、必ずしも一端から他端に向かって巻き径の異なる渦巻きバネとする必要はなく、図６ないし図１１に示すように、全体の巻き径を等しくしているコイルバネ３Ａとすることもできる。この構造のコイルバネ３Ａも、一端部を支柱１に連結し、他端部を緩衝筒２に連結する。
【００３０】
図６の戸当たりは、支柱１と緩衝筒２との間のスペース４に、全体の巻き径を等しくしているコイルバネ３Ａを配設している。図のコイルバネ３Ａは、外径を緩衝筒２の内径とほぼ等しくしており、上端を、緩衝筒２の内面に固定している。さらに、このコイルバネ３Ａは、内径を支柱１の外径とほぼ等しくして、下端部に支柱１を挿通して固定している。
【００３１】
さらに、図７の戸当たりは、支柱１と緩衝筒２との間のスペース４に、全体の巻き径を等しくしているコイルバネ３Ａを配設すると共に、緩衝筒２の内形を、筒部２Ａの先端に向かって内径が次第に小さくなる筒状としている。この構造の戸当たりは、緩衝筒２と支柱１との間のスペース４を広くしながら、コイルバネ３Ａの下部を緩衝筒２の内面に接触させない状態で配置できる。したがって、緩衝筒２を支柱１に対して大きく傾動できる特長がある。図のコイルバネ３Ａは、その外径を、緩衝筒２の筒部２Ａの上端の内径より大きくしており、コイルバネ３Ａを内側に挿入して、簡単に連結できるようにしている。ただ、コイルバネの先端は、接着剤を介して緩衝筒に連結することも、合成樹脂の緩衝筒に挿入して連結することもできる。さらに、図７のコイルバネ３Ａは、下端を、連結具８を介して支柱１に連結している。図に示す連結具８は、ベアリング９である。ベアリング９である連結具８は、支柱１に対してコイルバネ３Ａを回転できる状態で連結している。したがって、この戸当たりは、緩衝筒２を支柱１に対して回転できる。この構造の戸当たりは、緩衝筒２を支柱１に対して回転させて、緩衝筒２と開き戸２０との相対位置を変更できる特長がある。ただ、コイルバネは、ベアリング以外の連結具を介して支柱に連結することもできる
【００３２】
さらに、図８の戸当たりは、支柱１と緩衝筒２との間のスペース４に、全体の巻き径を等しくしているコイルバネ３Ａを配設すると共に、緩衝筒２の内径をコイルバネ３Ａの外径よりも大きくしている。コイルバネ３Ａの先端は、連結具８である固定リング１０を介して緩衝筒２に連結している。ただ、コイルバネの先端は、接着剤を介して緩衝筒に連結することも、緩衝筒に挿入して連結することもできる。また、この連結具にベアリングを使用して、緩衝筒を支柱に対して回転できる状態で連結することもできる。さらに、このコイルバネ３Ａは、内径を支柱１の外径とほぼ等しくして、下端部に支柱１を挿通して固定している。この構造の戸当たりも、支柱１と緩衝筒２との間のスペース４を広くしながら、コイルバネ３Ａの下部を緩衝筒２の内面に接触させない状態で配置できる。したがって、緩衝筒２を支柱１に対して大きく傾動できる特長がある。
【００３３】
さらに、図９の戸当たりは、支柱１と緩衝筒２との間のスペース４に、全体の巻き径を等しくしているコイルバネ３Ａであって、外径の異なる２本のコイルバネ３Ａを同軸に重ねて配設している。２本のコイルバネ３Ａは、外側に位置する第１のコイルバネ３ａと内側に位置する第２のコイルバネ３ｂとからなる。第１のコイルバネ３ａは、その外径を、緩衝筒２の内径とほぼ等しくしており、上端を、緩衝筒２の内面に、接着剤を介して連結している。また、第２のコイルバネ３ｂは、その外径を、第１のコイルバネ３Ａの内径とほぼ等しくし、あるいはやや大きくしており、第１のコイルバネ３Ａの内側に挿入して、簡単に連結できるようにしている。さらに、第２のコイルバネ３Ａは、その内径を、支柱１の外径とほぼ等しくし、あるいはやや小さくして、支柱１を挿入して簡単に連結できるようにしている。この構造の戸当たりは、２本のコイルバネによって、支柱１に対する緩衝筒２の傾動状態を調整できる。
【００３４】
さらに、図５と図１０の戸当たりは、支柱１と緩衝筒２との間のスペース４にコイルバネ３Ａを配設すると共に、緩衝筒２の開口端には、緩衝筒２の開口部を閉塞するカバー部材１１を配設している。カバー部材１１は、底板１１Ａの周囲に周壁１１Ｂを連結してなる形状で、底板１１Ａの中心に、支柱１を貫通させる貫通孔１１ａを開口している。このカバー部材１１は、貫通孔１１ａに支柱１を挿通する状態で、周壁１１Ｂを緩衝筒２の外周面に固定している。この戸当たりは、緩衝筒２の開口部をカバー部材１１で閉塞して外観を良くできると共に、支柱１とコイルバネ３Ａ及び緩衝筒２との保持力をより強くできる特長がある。さらに、図５に示すように、天井２３に設置する戸当たりにおいては、緩衝筒２の開口部をカバー部材１で閉塞するので、緩衝筒２の内部にゴミや埃が侵入するのを防止できる特長もある。
【００３５】
さらに、図１１の戸当たりは、支柱１と緩衝筒２との間のスペース４にコイルバネ３Ａを配設すると共に、緩衝筒２の下端の開口部をカバー部材１１で閉塞しており、さらに、この緩衝筒２を支柱１に対して回転できる構造としている。カバー部材１１は、底板１１Ａの周囲に周壁１１Ｂを連結してなる形状で、底板１１Ａの中心に、支柱１を貫通させる貫通孔１１ａを開口している。このカバー部材１１は、貫通孔１１ａに支柱１を挿通する状態で、周壁１１Ｂを緩衝筒２の外周面に固定している。さらに、図の戸当たりは、カバー部材１１が支柱１から抜けるのを防止するストッパ１２を先端部の周囲に設けている。図に示すストッパ１２は、貫通孔１１ａよりも大きな鍔状としており、この鍔状のストッパ１２の上面にコイルバネ３Ａの下端を当接させている。緩衝筒２とカバー部材１１との間に配設されるコイルバネ３Ａは、上端のみを緩衝筒に固定し、あるいは、下端のみを支柱に固定し、あるいはまた上下の両端を固定することなく定位置に配置している。このコイルバネ３Ａは、自然長を緩衝筒２の筒部２Ａの内面の長さよりも長くしている。すなわち、このコイルバネ３Ａは、緩衝筒２と支柱１とを、上下に互いに離れる方向に押圧する状態で、支柱１と緩衝筒２との間のスペース４に配設している。コイルバネ３Ａをこの状態で配設するのは、開き戸２０による衝撃が緩衝筒２に作用するときに、コイルバネ３Ａを弾性変形させて、衝撃のエネルギーを吸収するためである。すなわち、コイルバネ３Ａを押圧状態で緩衝筒２とストッパ１２との間に配設することによって、コイルバネ３Ａの弾性力を緩衝筒２に作用させて、緩衝筒２を上下方向や水平方向に弾性的に移動できる状態で支柱１に連結できる。この構造の戸当たりは、緩衝筒２の下端の開口部をカバー部材１１で閉塞して外観を良くできることに加えて、緩衝筒２を支柱１に対して回転させて、緩衝筒２と開き戸２０との相対位置を変更できる特長がある。さらに、緩衝筒２が支柱１から抜けるのをストッパ１２で確実に防止できる特長もある。また、この戸当たりを天井に設置する場合は、緩衝筒の内部にゴミや埃が侵入するのをカバー部材で防止できる。
【００３６】
さらに、図３、及び図５ないし図１１に示す戸当たりは、支柱１の先端から緩衝筒２の蓋部２Ｂの内面までの長さ（ｄ）が、緩衝筒２の開口端から蓋部２Ｂの内面までの長さ（Ｌ）、いいかえると緩衝筒２の筒部２Ａの内側面の深さ（Ｌ）の半分よりも大きくなるように緩衝筒２を支柱１に連結している。すなわち、ｄ＞Ｌ／２となるようにしている。この構造の戸当たりは、支柱１よりも先端側（図３及び図６ないし図１１において上方、図５において下方）に位置する緩衝筒２を曲がりやすくして、開き戸２０の衝突による緩衝作用を大きくできる特長がある。ただ、緩衝筒は、必ずしも、ｄ＞Ｌ／２となる位置関係で支柱に連結する必要はない。本発明の戸当たりは、緩衝筒２の硬度（弾性率）とバネ３の撓み力（バネ定数）のバランスにより、（ｄ）と（Ｌ）の比率を適宜決めることができる。
【００３７】
また、図３、図５、図７及び図８に示すように、バネ３の外側面と緩衝筒２の内面との間に隙間を設けている戸当たりは、緩衝筒２を支柱１に対して水平方向に移動させて、開き戸２０の衝突による衝撃を吸収できる特長もある。
【図面の簡単な説明】
【００３８】
【図１】従来の戸当たりを示す垂直断面図である。
【図２】本発明の一実施例にかかる戸当たりの斜視図である。
【図３】図２に示す戸当たりの垂直断面図である。
【図４】本発明の他の実施例にかかる戸当たりの斜視図である。
【図５】図４に示す戸当たりの垂直断面図である。
【図６】本発明の他の実施例にかかる戸当たりの垂直断面図である。
【図７】本発明の他の実施例にかかる戸当たりの垂直断面図である。
【図８】本発明の他の実施例にかかる戸当たりの垂直断面図である。
【図９】本発明の他の実施例にかかる戸当たりの垂直断面図である。
【図１０】本発明の他の実施例にかかる戸当たりの垂直断面図である。
【図１１】本発明の他の実施例にかかる戸当たりの垂直断面図である。
【図１２】本発明の他の実施例にかかる戸当たりの平面図である。
【図１３】本発明の他の実施例にかかる戸当たりの平面図である。
【符号の説明】
【００３９】
１…支柱
２…緩衝筒                    ２Ａ…筒部
２Ｂ…蓋部
３…バネ                      ３Ａ…コイルバネ
３ａ…第１のコイルバネ
３ｂ…第２のコイルバネ
３Ｘ…渦巻きバネ
４…スペース
５…固定プレート              ５Ａ…貫通孔
６…止ネジ
７…アンカーボルト
８…連結具
９…ベアリング
１０…固定リング
１１…カバー部材              １１Ａ…底板
１１Ｂ…周壁
１１ａ…貫通孔
１２…ストッパ
２０…開き戸
２１…水平面
２２…床
２３…天井
８０…開き戸
８１…水平面
８２…床
８３…枠体                    ８３Ａ…下枠
９１…基体
９２…緩衝体
【図１】
2008127855.tif 000003
【図２】
2008127855.tif 000004
【図３】
2008127855.tif 000005
【図４】
2008127855.tif 000006
【図５】
2008127855.tif 000007
【図６】
2008127855.tif 000008
【図７】
2008127855.tif 000009
【図８】
2008127855.tif 000010
【図９】
2008127855.tif 000011
【図１０】
2008127855.tif 000012
【図１１】
2008127855.tif 000013
【図１２】
2008127855.tif 000014
【図１３】
2008127855.tif 000015
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
床(22)又は天井(23)からなる建物の水平面(21)に固定されて、開き戸(20)の上端縁部又は下端縁部に当てて所定の位置に停止させる戸当たりにおいて、
建物の水平面(21)に垂直に固定される支柱(1)と、この支柱(1)を挿入でき、かつ支柱(1)と内面との間にスペース(4)を有し、なおかつ外周面を円柱状、多角柱状、楕円柱状のいずれかとする筒状のゴム状弾性体からなる緩衝筒(2)と、この緩衝筒(2)と支柱(1)との間のスペース(4)に配設され、一端を支柱(1)に他端を緩衝筒(2)に連結して、緩衝筒(2)を支柱(1)に対して傾動できるように連結しているバネ(3)とを備え、
筒状の緩衝筒(2)が、支柱(1)との間に、バネ(3)を配設するためのスペース(4)ができる内形に成形される共に、バネ(3)の全体を、筒状である緩衝筒(2)内部に配設してなる戸当たり。
【請求項２】
バネ(3)がコイルバネ(3A)で、このコイルバネ(3A)は一端を支柱(1)に連結して、他端を緩衝筒(2)の内面に連結している請求項１に記載される戸当たり。
【請求項３】
コイルバネ(3A)が支柱(1)に連結される一端から緩衝筒(2)に連結される他端に向かって次第に巻き径を大きくする渦巻きバネ(3X)である請求項２に記載される戸当たり。
【請求項４】
バネ(3)がベアリング(9)を介して回転できるように支柱(1)に連結され、このベアリング(9)とバネ(3)を介して緩衝筒(2)を傾動できると共に回転できるように支柱(1)に連結している請求項１に記載される戸当たり。
【請求項５】
削除
緩衝筒(2)が、ゴム状弾性体を先端が閉塞される筒状に成形したものである請求項１に記載される戸当たり。
【手続補正２】
【補正対象書類名】明細書
【補正対象項目名】全文
【補正方法】変更
【補正の内容】
【発明の詳細な説明】
【技術分野】
【０００１】
本発明は、床や天井などの水平面に固定され、開かれた開き戸に当たって、開き戸の開き位置を特定位置に制限する戸当たりに関する。
【背景技術】
【０００２】
従来の開き戸は、戸当たりの衝突部分に補強板を固定して、戸当たりの衝突部分が変形するのを防止している。補強板は、小さい金属板で、表面板の内面に固定される。内部に固定される補強板は、表面には表出しない。このため、開き戸を外部から見て、補強板の位置を確認できない。補強板は、戸当たりと開き戸を建物の決められた位置に固定して、戸当たりに当たる位置に配置される。ただ、現実に施工現場においては、戸当たりは常に建物の正確な位置に固定されるとは限らない。それは、建物の床や天井の高さが、施工現場によって変化するからである。戸当たりの位置がずれて、戸当たりが補強板に衝突しない状態になると、戸当たりが開き戸を変形させる。とくに、補強板の位置を外部から確認できないことから、常に戸当たりの固定位置を、補強板に当たる位置にできるとは限らない。補強板を大きくして、この弊害を少なくできる。ただ、補強板を大きくすることは、製造コストが高くなるばかりでなく、内部構造によっては、補強板の固定に手間がかかる。
【０００３】
この欠点を解消するために、開き戸の上下のコーナー部に当てる戸当たりが開発されている。（特許文献１参照）
【特許文献１】特開平１１−３２４４７７号公報
【発明の開示】
【発明が解決しようとする課題】
【０００４】
特許文献１の戸当たりを図１に示す。この戸当たりは、床８２等の水平面８１に固定される基体９１に、円錐状の緩衝体９２を設けている。この戸当たりは、従来のように、開き戸８０の表面に衝突しない。円錐状の緩衝体９２は、開き戸８０の上枠や下枠８３Ａのコーナー部に当たって、開き位置を特定する。この戸当たりは、開き戸８０の上下に内蔵する枠体８３に当たって、開き戸を所定の位置に停止するので、開き戸８０の内部に補強板を設ける必要がない。また、戸当たりの固定位置が上下にずれても、開き戸を所定の開き位置に特定できる。
【０００５】
しかしながら、この戸当たりは、開き戸との衝突位置が損傷されやすい。それは、緩衝体の傾斜面に、開き戸のコーナーを局部的に衝突させるからである。このため、この戸当たりは、開き戸のコーナーが当たる部分が、とくに変形・損傷しやすい欠点がある。また、傾斜面に衝突する開き戸は、緩衝体の傾斜方向に上下の力を受ける。すなわち、床に固定する戸当たりは、衝突時に開き戸を持ち上げる力が作用し、天井に固定される戸当たりは、衝突時に開き戸を押し下げる力が作用する。すなわち、開き戸が戸当たりに衝突するごとに、上下に無理な力が作用する。上下に働く無理な力は、開き戸を変形させる方向に作用し、また蝶番に遊びを発生させる原因となる。さらに、この戸当たりは、開き戸のコーナーが緩衝体の傾斜面に衝突するので、戸当たりに衝突する開き戸のコーナー部には、局部的に強い衝撃が働く。このため、戸当たりに衝突する開き戸のコーナー部が変形しやすい欠点もある。
【０００６】
本発明は、このような欠点を解決することを目的に開発されたものである。本発明の重要な目的は、補強板を内蔵しない開き戸に無理な力を作用させることなく、所定の位置に停止できる戸当たりを提供することにある。
また、本発明の他の大切な目的は、戸当たりに衝突するときに開き戸に働く上下方向の力を小さくして、開き戸と蝶番に無理な力が作用するのを防止できる戸当たりを提供することにある。
さらにまた、本発明の他の大切な目的は、開き戸との衝突部分の損傷を少なくして、耐久性を向上できる戸当たりを提供することにある。
【課題を解決するための手段】
【０００７】
本発明の戸当たりは、前述の目的を達成するために以下の構成を備える。
戸当たりは、床２２又は天井２３からなる建物の水平面２１に固定されて、開き戸２０の上端縁部又は下端縁部に当てて所定の位置に停止させる。戸当たりは、建物の水平面２１に垂直に固定される支柱１と、この支柱１を挿入でき、かつ支柱１と内面との間にスペース４を有し、なおかつ外周面を円柱状、多角柱状、楕円柱状のいずれかとする筒状のゴム状弾性体からなる緩衝筒２と、この緩衝筒２と支柱１との間のスペース４に配設され、一端を支柱１に他端を緩衝筒２に連結して、緩衝筒２を支柱１に対して傾動できるように連結しているバネ３とを備える。
【０００８】
本発明の請求項２の戸当たりは、請求項１の構成に加えて、バネ３をコイルバネ３Ａとしている。このコイルバネ３Ａは、一端を支柱１に連結して、他端を緩衝筒２の内面に連結している。
【０００９】
本発明の請求項３の戸当たりは、請求項２の構成に加えて、コイルバネ３Ａを、支柱１に連結される一端から緩衝筒２に連結される他端に向かって次第に巻き径を大きくする渦巻きバネ３Ａとしている。
【００１０】
本発明の請求項４の戸当たりは、請求項１の構成に加えて、バネ３を、ベアリング９を介して回転できるように支柱１に連結し、このベアリング９とバネ３を介して緩衝筒２を傾動できると共に回転できるように支柱１に連結している。
【００１１】
本発明の戸当たりは、緩衝筒２を、先端が閉塞される筒状にゴム状弾性体を成形したものとしている。
【発明の効果】
【００１２】
本発明の戸当たりは、補強板を内蔵しない開き戸を、衝突による無理な力を作用させることなく、所定の位置に停止できる特徴がある。それは、本発明の戸当たりが、建物の水平面に垂直に固定される支柱と、この支柱を挿入するゴム状弾性体の緩衝筒と、この緩衝筒と支柱とを連結するバネとを備え、緩衝筒は、支柱を挿入でき、かつ支柱と内面との間にスペースを有し、さらに外周面を円柱状、多角柱状、楕円柱状のいずれかとする筒状とし、この緩衝筒を支柱に連結するバネは、支柱と緩衝筒との間のスペースに配設され、一端を支柱に他端を緩衝筒に連結して、緩衝筒を支柱に対して傾動できるように連結しているからである。この構造の戸当たりは、天井や床などの水平面に固定され、開き戸の上端縁部又は下端縁部に衝突させて、開き位置を特定する。この戸当たりは、開き戸の上端縁部や下端縁部が衝突するとき、最初に緩衝筒の外側面に当たる。このとき、緩衝筒は外側面を、円柱状、多角柱状、楕円柱状のいずれかとする筒状としているので、従来のようにコーナーの角が衝突するのではなく、面状にあるいは所定の長さの線状に衝突する。緩衝筒の外側面が開き戸の表面と平行となっているからである。開き戸の表面に面状あるいは線状に衝突する緩衝筒は、コーナーの角が衝突するのに比較して損傷を著しく少なくできる。それは、衝突部分を大きくして衝撃のエネルギーを緩和できるからである。さらに、本発明の戸当たりは、開き戸の表面に衝突する緩衝筒をバネを介して支柱に連結している。したがって、開き戸に衝突する緩衝筒は、ゴム状弾性体の弾性で衝撃のエネルギーを吸収し、さらにバネが弾性変形して衝撃のエネルギーを吸収する。このことから、本発明の戸当たりは、開き戸に衝突して受ける損傷を極限できる特徴がある。この独特の構造は、戸当たりの損傷を防止できることに加えて、開き戸の衝突部分の損傷も少なくして、開き戸の耐久性を向上できる特徴も実現する。さらに、本発明の戸当たりは、衝突する瞬間に開き戸に上下方向の力が作用せず、衝突で開き戸と蝶番に無理な力が作用するのを防止できる特徴もある。
【００１３】
とくに、本発明の請求項２の戸当たりは、請求項１の構成に加えて、バネをコイルバネとして、このコイルバネの一端を支柱に、他端を緩衝筒の内面に連結している。この構成によると、戸当たりは、緩衝筒をバランスよく支柱に連結できる。このため、戸当たりを天井や床に固定する方向などの制限がなく、取り付けを簡単にできる。
【００１４】
さらに、本発明の請求項３の戸当たりは、請求項２の構成に加えて、バネであるコイルバネを、支柱に連結される一端から緩衝筒に連結される他端に向かって次第に巻き径を大きくする渦巻きバネとしている。この構成によると、バネを筒状の緩衝筒に挿入して簡単に連結できる。また、開き戸で押されて緩衝筒が傾動するときに、コイルバネの開き戸側を傾斜姿勢から垂直姿勢となる方向に移動させる。このため、緩衝筒をスムーズに傾動できる特徴がある。
【００１５】
さらにまた、本発明の請求項４の戸当たりは、請求項１の構成に加えて、バネをベアリングを介して回転できるように支柱に連結し、このベアリングとバネを介して、緩衝筒を傾動でき、かつ回転できるように支柱に連結している。この戸当たりは、開き戸が衝突して緩衝筒を回転し、さらに、緩衝筒が回転して、開き戸との衝突部分を移動できる。このため、緩衝筒が開き戸と衝突する部分を変化させて、緩衝筒の損傷をさらに少なくできる特徴がある。
【００１６】
また、本発明の請求項５の戸当たりは、請求項１の構成に加えて、緩衝筒の形状を、先端が閉塞される筒状にゴム状弾性体を成形して製作している。この戸当たりは、緩衝筒の先端をゴム状弾性体で保護できる特徴がある。
【発明を実施するための最良の形態】
【００１７】
以下、本発明の実施例を図面に基づいて説明する。ただし、以下に示す実施例は、本発明の技術思想を具体化するための戸当たりを例示するものであって、本発明は戸当たりを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図２ないし図１１に示す戸当たりは、床２２又は天井２３からなる建物の水平面２１に固定される。図２、図３、図６ないし図１１に示す戸当たりは、床２２に固定する状態を示している。これらの戸当たりは、開き戸２０の下端縁部に当たって、開き戸２０を所定の位置に停止させる。図３と図４に示す戸当たりは、天井２３に固定する状態を示している。この戸当たりは、開き戸２０の上端縁部に当たって、開き戸２０を所定の位置に停止させる。図３、及び図６ないし図１１は、床２２に設置する戸当たりの断面図を示している。天井２３に設置される戸当たりは、図５に示すように、これらの図と上下を反転した構造とすることができる。
【００２０】
図２ないし図１１に示す戸当たりは、建物の水平面２１に垂直に固定される支柱１と、この支柱１の先端部を挿入している筒状の緩衝筒２と、この緩衝筒２を支柱１に連結しているバネ３とからなる。
【００２１】
図２ないし図９の戸当たりは、支柱１を固定プレート５に垂直に固定している。この固定プレート５を床２２や天井２３などの水平面２１に固定して、支柱１は水平面２１に垂直に固定される。図２の固定プレート５は、水平面２１に固定するための止ネジ６を挿通する貫通孔５Ａを四隅に設けている。ただ、固定プレート５は、図４に示すように、止ネジ６を挿通する貫通孔５Ａを、支柱１の両側に設けることもできる。この固定プレート５は、たとえば、両側の止ネジ６が、開き戸２０の開閉方向に並ぶように水平面２１に固定して支柱１を安定して支持できる。固定プレート５は、貫通孔５Ａに止ネジ６を通し、これを水平面２１にねじ込んで、水平面２１に固定される。ただし、支柱１は、図１０と図１１に示すように、アンカーボルト７を介して水平面１１に固定することもできる。
【００２２】
緩衝筒２は、ゴム状弾性体で、全体の形状を筒状に成形している。緩衝筒２のゴム状弾性体は、天然ゴムや合成ゴムである。また、軟質で弾性変形する合成樹脂、たとえば軟質ウレタンなども使用できる。図の緩衝筒２は、先端を閉塞する筒状に成形している。図２ないし図１１の緩衝筒２は、筒部２Ａの先端を蓋部２Ｂで閉塞してなる形状に、一体的に成形している。この緩衝筒２は、先端をゴム状弾性体で保護できる特徴がある。ゴム状弾性体で成形される蓋部２Ｂの先端面は、図２ないし図５、図７、図８、図１０及び図１１に示すように、水平面１１と平行な平面状とすることも、図６に示すように、外周部から中央部に向かって次第に突出する断面形状とすることも、あるいは、図９に示すように、先端面を平面状として、外周面との境界部分を面取りした形状とすることもできる。ただ、緩衝筒は、必ずしも筒部を蓋部で閉塞する形状に一体的に成形する必要はなく、先端を開口してなる筒状とすることもできる。この緩衝筒は、先端の開口部に、別部材である蓋材を固定して閉塞することもできる。
【００２３】
緩衝筒は２、外周面を円柱状、多角柱状、楕円柱状のいずれかとすることができる。図２と図４の斜視図に示す緩衝筒２は、外側面を円柱状としている。この緩衝筒２は、開き戸２０の表面に当たる面積を大きくできる。さらに、図１２に示す緩衝筒２は、外周面を六角柱状としている。この緩衝筒２は、詳細には後述するが、図７に示すように、ベアリング９を介して支柱１に連結する構造として、あるいは、図１１に示す構造として、緩衝筒２を支柱１に対して回転させて、開き戸２０の表面に当たる面積を大きくできる。ただ、、緩衝筒は、六角柱状以外の多角柱状とすることもできる。さらに、図１３に示す緩衝筒２は、外周面を楕円筒状としている。この緩衝筒２は、楕円の長径を開き戸２０の表面と平行な姿勢で水平面２１に固定して、開き戸２０が当たる面積を大きくできる。
【００２４】
緩衝筒２は、バネ３を介して支柱１に連結される。したがって、筒状の緩衝筒２は、支柱１との間に、バネ３を配設するためのスペース４ができる内形に成形している。図２ないし図５に示す緩衝筒２は、外側面と内側面の両方を円筒状としている。ただ、緩衝筒は、図示しないが、内側面の形状を多角筒状とすることも楕円筒状とすることもできる。すなわち、緩衝筒２は、外側面と内側面を同じ筒状とすることができ、また、異なる筒状とすることもできる。図１２に示す緩衝筒２は、外側面を六角筒状として、内側面を円筒状としている。また、図１３に示す緩衝筒２は、外側面を楕円筒状として、内側面を円筒状としている。さらに、内側面を筒状とする緩衝筒２は、図７に示すように、筒部２Ａの先端に向かって内径が小さくなる筒状とすることもできる。
【００２５】
バネ３は、支柱１と緩衝筒２との間のスペース４に配設されるコイルバネ３Ａである。コイルバネ３Ａは、一端を支柱１に連結して、他端を緩衝筒２に連結している。床２２に固定する戸当たりは、図３及び図６ないし図１１に示すように、コイルバネ３Ａの下端を支柱１に連結して、上端を緩衝筒２に連結する。天井２３に固定する戸当たりは、図５に示すように、コイルバネ３Ａの上端を支柱１に連結して、下端を緩衝筒２に連結する。
【００２６】
図３と図５の戸当たりは、コイルバネ３Ａを、支柱１に連結している一端から、緩衝筒２に連結される他端に向かって次第に巻き径を大きくする渦巻きバネ３Ｘとしている。渦巻きバネ３Ｘは、緩衝筒２に連結される他端（図３において上端、図５において下端）の巻き径、正確には緩衝筒２に連結される他端の外径を緩衝筒２の内径よりも大きくしている。この渦巻きバネ３Ｘは、筒状の緩衝筒２の内部に挿入して、簡単に連結できる。それは、渦巻きバネ３Ｘが弾性的に拡開することで、緩衝筒２の内面に連結されるからである。ただし、緩衝筒は、内部の最も奥部に、接着剤を介してコイルバネを連結することもできる。また、コイルバネの先端を合成樹脂の緩衝筒に挿入して、バネを緩衝筒に連結することもできる。
【００２７】
さらに、図の渦巻きバネ３Ｘは、一端部（図３において下端部、図５において上端部）を、支柱１の先端に巻き付けて支柱１に連結される。渦巻きバネ３Ｘは、支柱１に連結される一端の巻き径、正確には支柱１に連結される一端の内径を支柱１の外径よりも小さくして、渦巻きバネ３Ｘの一端部に支柱１を挿入して簡単に連結できる。この渦巻きバネ３Ｘは、弾性的な収縮力で支柱１の表面に巻き付いて、支柱１に連結される。ただし、コイルバネの一端部は、接着剤を介して支柱に連結することも、連結具を介して支柱に連結することもできる。コイルバネ３Ａは、支柱１に連結される端部が、支柱１から抜けないように連結される。
【００２８】
図３と図５に示す構造の戸当たりは、コイルバネ３Ａを渦巻きバネ３Ｘとするので、支柱１と緩衝筒２との間のスペース４を広くしながらコイルバネ３Ａの両端を支柱１と緩衝筒２とに連結できる。とくに、渦巻きバネ３Ｘにおける支柱１との連結側（図３において渦巻きバネ３Ｘの下部、図５において渦巻きバネ３Ｘの上部）を緩衝筒２の内側面に接触させない状態で配置できる。したがって、緩衝筒２を支柱１に対して大きく傾動できる特長がある。
【００２９】
ただ、コイルバネは、必ずしも一端から他端に向かって巻き径の異なる渦巻きバネとする必要はなく、図６ないし図１１に示すように、全体の巻き径を等しくしているコイルバネ３Ａとすることもできる。この構造のコイルバネ３Ａも、一端部を支柱１に連結し、他端部を緩衝筒２に連結する。
【００３０】
図６の戸当たりは、支柱１と緩衝筒２との間のスペース４に、全体の巻き径を等しくしているコイルバネ３Ａを配設している。図のコイルバネ３Ａは、外径を緩衝筒２の内径とほぼ等しくしており、上端を、緩衝筒２の内面に固定している。さらに、このコイルバネ３Ａは、内径を支柱１の外径とほぼ等しくして、下端部に支柱１を挿通して固定している。
【００３１】
さらに、図７の戸当たりは、支柱１と緩衝筒２との間のスペース４に、全体の巻き径を等しくしているコイルバネ３Ａを配設すると共に、緩衝筒２の内形を、筒部２Ａの先端に向かって内径が次第に小さくなる筒状としている。この構造の戸当たりは、緩衝筒２と支柱１との間のスペース４を広くしながら、コイルバネ３Ａの下部を緩衝筒２の内面に接触させない状態で配置できる。したがって、緩衝筒２を支柱１に対して大きく傾動できる特長がある。図のコイルバネ３Ａは、その外径を、緩衝筒２の筒部２Ａの上端の内径より大きくしており、コイルバネ３Ａを内側に挿入して、簡単に連結できるようにしている。ただ、コイルバネの先端は、接着剤を介して緩衝筒に連結することも、合成樹脂の緩衝筒に挿入して連結することもできる。さらに、図７のコイルバネ３Ａは、下端を、連結具８を介して支柱１に連結している。図に示す連結具８は、ベアリング９である。ベアリング９である連結具８は、支柱１に対してコイルバネ３Ａを回転できる状態で連結している。したがって、この戸当たりは、緩衝筒２を支柱１に対して回転できる。この構造の戸当たりは、緩衝筒２を支柱１に対して回転させて、緩衝筒２と開き戸２０との相対位置を変更できる特長がある。ただ、コイルバネは、ベアリング以外の連結具を介して支柱に連結することもできる
【００３２】
さらに、図８の戸当たりは、支柱１と緩衝筒２との間のスペース４に、全体の巻き径を等しくしているコイルバネ３Ａを配設すると共に、緩衝筒２の内径をコイルバネ３Ａの外径よりも大きくしている。コイルバネ３Ａの先端は、連結具８である固定リング１０を介して緩衝筒２に連結している。ただ、コイルバネの先端は、接着剤を介して緩衝筒に連結することも、緩衝筒に挿入して連結することもできる。また、この連結具にベアリングを使用して、緩衝筒を支柱に対して回転できる状態で連結することもできる。さらに、このコイルバネ３Ａは、内径を支柱１の外径とほぼ等しくして、下端部に支柱１を挿通して固定している。この構造の戸当たりも、支柱１と緩衝筒２との間のスペース４を広くしながら、コイルバネ３Ａの下部を緩衝筒２の内面に接触させない状態で配置できる。したがって、緩衝筒２を支柱１に対して大きく傾動できる特長がある。
【００３３】
さらに、図９の戸当たりは、支柱１と緩衝筒２との間のスペース４に、全体の巻き径を等しくしているコイルバネ３Ａであって、外径の異なる２本のコイルバネ３Ａを同軸に重ねて配設している。２本のコイルバネ３Ａは、外側に位置する第１のコイルバネ３ａと内側に位置する第２のコイルバネ３ｂとからなる。第１のコイルバネ３ａは、その外径を、緩衝筒２の内径とほぼ等しくしており、上端を、緩衝筒２の内面に、接着剤を介して連結している。また、第２のコイルバネ３ｂは、その外径を、第１のコイルバネ３Ａの内径とほぼ等しくし、あるいはやや大きくしており、第１のコイルバネ３Ａの内側に挿入して、簡単に連結できるようにしている。さらに、第２のコイルバネ３Ａは、その内径を、支柱１の外径とほぼ等しくし、あるいはやや小さくして、支柱１を挿入して簡単に連結できるようにしている。この構造の戸当たりは、２本のコイルバネによって、支柱１に対する緩衝筒２の傾動状態を調整できる。
【００３４】
さらに、図５と図１０の戸当たりは、支柱１と緩衝筒２との間のスペース４にコイルバネ３Ａを配設すると共に、緩衝筒２の開口端には、緩衝筒２の開口部を閉塞するカバー部材１１を配設している。カバー部材１１は、底板１１Ａの周囲に周壁１１Ｂを連結してなる形状で、底板１１Ａの中心に、支柱１を貫通させる貫通孔１１ａを開口している。このカバー部材１１は、貫通孔１１ａに支柱１を挿通する状態で、周壁１１Ｂを緩衝筒２の外周面に固定している。この戸当たりは、緩衝筒２の開口部をカバー部材１１で閉塞して外観を良くできると共に、支柱１とコイルバネ３Ａ及び緩衝筒２との保持力をより強くできる特長がある。さらに、図５に示すように、天井２３に設置する戸当たりにおいては、緩衝筒２の開口部をカバー部材１で閉塞するので、緩衝筒２の内部にゴミや埃が侵入するのを防止できる特長もある。
【００３５】
さらに、図１１の戸当たりは、支柱１と緩衝筒２との間のスペース４にコイルバネ３Ａを配設すると共に、緩衝筒２の下端の開口部をカバー部材１１で閉塞しており、さらに、この緩衝筒２を支柱１に対して回転できる構造としている。カバー部材１１は、底板１１Ａの周囲に周壁１１Ｂを連結してなる形状で、底板１１Ａの中心に、支柱１を貫通させる貫通孔１１ａを開口している。このカバー部材１１は、貫通孔１１ａに支柱１を挿通する状態で、周壁１１Ｂを緩衝筒２の外周面に固定している。さらに、図の戸当たりは、カバー部材１１が支柱１から抜けるのを防止するストッパ１２を先端部の周囲に設けている。図に示すストッパ１２は、貫通孔１１ａよりも大きな鍔状としており、この鍔状のストッパ１２の上面にコイルバネ３Ａの下端を当接させている。緩衝筒２とカバー部材１１との間に配設されるコイルバネ３Ａは、上端のみを緩衝筒に固定し、あるいは、下端のみを支柱に固定し、あるいはまた上下の両端を固定することなく定位置に配置している。このコイルバネ３Ａは、自然長を緩衝筒２の筒部２Ａの内面の長さよりも長くしている。すなわち、このコイルバネ３Ａは、緩衝筒２と支柱１とを、上下に互いに離れる方向に押圧する状態で、支柱１と緩衝筒２との間のスペース４に配設している。コイルバネ３Ａをこの状態で配設するのは、開き戸２０による衝撃が緩衝筒２に作用するときに、コイルバネ３Ａを弾性変形させて、衝撃のエネルギーを吸収するためである。すなわち、コイルバネ３Ａを押圧状態で緩衝筒２とストッパ１２との間に配設することによって、コイルバネ３Ａの弾性力を緩衝筒２に作用させて、緩衝筒２を上下方向や水平方向に弾性的に移動できる状態で支柱１に連結できる。この構造の戸当たりは、緩衝筒２の下端の開口部をカバー部材１１で閉塞して外観を良くできることに加えて、緩衝筒２を支柱１に対して回転させて、緩衝筒２と開き戸２０との相対位置を変更できる特長がある。さらに、緩衝筒２が支柱１から抜けるのをストッパ１２で確実に防止できる特長もある。また、この戸当たりを天井に設置する場合は、緩衝筒の内部にゴミや埃が侵入するのをカバー部材で防止できる。
【００３６】
さらに、図３、及び図５ないし図１１に示す戸当たりは、支柱１の先端から緩衝筒２の蓋部２Ｂの内面までの長さ（ｄ）が、緩衝筒２の開口端から蓋部２Ｂの内面までの長さ（Ｌ）、いいかえると緩衝筒２の筒部２Ａの内側面の深さ（Ｌ）の半分よりも大きくなるように緩衝筒２を支柱１に連結している。すなわち、ｄ＞Ｌ／２となるようにしている。この構造の戸当たりは、支柱１よりも先端側（図３及び図６ないし図１１において上方、図５において下方）に位置する緩衝筒２を曲がりやすくして、開き戸２０の衝突による緩衝作用を大きくできる特長がある。ただ、緩衝筒は、必ずしも、ｄ＞Ｌ／２となる位置関係で支柱に連結する必要はない。本発明の戸当たりは、緩衝筒２の硬度（弾性率）とバネ３の撓み力（バネ定数）のバランスにより、（ｄ）と（Ｌ）の比率を適宜決めることができる。
【００３７】
また、図３、図５、図７及び図８に示すように、バネ３の外側面と緩衝筒２の内面との間に隙間を設けている戸当たりは、緩衝筒２を支柱１に対して水平方向に移動させて、開き戸２０の衝突による衝撃を吸収できる特長もある。
【図面の簡単な説明】
【００３８】
【図１】従来の戸当たりを示す垂直断面図である。
【図２】本発明の一実施例にかかる戸当たりの斜視図である。
【図３】図２に示す戸当たりの垂直断面図である。
【図４】本発明の他の実施例にかかる戸当たりの斜視図である。
【図５】図４に示す戸当たりの垂直断面図である。
【図６】本発明の他の実施例にかかる戸当たりの垂直断面図である。
【図７】本発明の他の実施例にかかる戸当たりの垂直断面図である。
【図８】本発明の他の実施例にかかる戸当たりの垂直断面図である。
【図９】本発明の他の実施例にかかる戸当たりの垂直断面図である。
【図１０】本発明の他の実施例にかかる戸当たりの垂直断面図である。
【図１１】本発明の他の実施例にかかる戸当たりの垂直断面図である。
【図１２】本発明の他の実施例にかかる戸当たりの平面図である。
【図１３】本発明の他の実施例にかかる戸当たりの平面図である。
【符号の説明】
【００３９】
１…支柱
２…緩衝筒                    ２Ａ…筒部
２Ｂ…蓋部
３…バネ                      ３Ａ…コイルバネ
３ａ…第１のコイルバネ
３ｂ…第２のコイルバネ
３Ｘ…渦巻きバネ
４…スペース
５…固定プレート              ５Ａ…貫通孔
６…止ネジ
７…アンカーボルト
８…連結具
９…ベアリング
１０…固定リング
１１…カバー部材              １１Ａ…底板
１１Ｂ…周壁
１１ａ…貫通孔
１２…ストッパ
２０…開き戸
２１…水平面
２２…床
２３…天井
８０…開き戸
８１…水平面
８２…床
８３…枠体                    ８３Ａ…下枠
９１…基体
９２…緩衝体
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
床(22)又は天井(23)からなる建物の水平面(21)に固定されて、開き戸(20)の上端縁部又は下端縁部に当てて所定の位置に停止させる戸当たりにおいて、
建物の水平面(21)に垂直に固定される支柱(1)と、この支柱(1)を挿入でき、かつ支柱(1)と内面との間にスペース(4)を有し、なおかつ外周面を円柱状、多角柱状、楕円柱状のいずれかとする筒状のゴム状弾性体からなる緩衝筒(2)と、この緩衝筒(2)と支柱(1)との間のスペース(4)に配設され、一端を支柱(1)に他端を緩衝筒(2)に連結して、緩衝筒(2)を支柱(1)に対して傾動できるように連結しているバネ(3)とを備え、
筒状の緩衝筒(2)が、支柱(1)との間に、バネ(3)を配設するためのスペース(4)ができる内形に成形される共に、バネ(3)の全体を、筒状である緩衝筒(2)内部に配設してなる戸当たり。
【請求項２】
バネ(3)がコイルバネ(3A)で、このコイルバネ(3A)は一端を支柱(1)に連結して、他端を緩衝筒(2)の内面に連結している請求項１に記載される戸当たり。
【請求項３】
コイルバネ(3A)が支柱(1)に連結される一端から緩衝筒(2)に連結される他端に向かって次第に巻き径を大きくする渦巻きバネ(3X)である請求項２に記載される戸当たり。
【請求項４】
バネ(3)がベアリング(9)を介して回転できるように支柱(1)に連結され、このベアリング(9)とバネ(3)を介して緩衝筒(2)を傾動できると共に回転できるように支柱(1)に連結している請求項１に記載される戸当たり。